(57)【要約】【課題】ユーザが意図的にマスク処理のないデジタル加工処理を選択して演出効果を高めることができる撮像装置を提供する。【解決手段】撮影画像の記録開始から固定時間経過後に自動的に記録を終了する固定時間撮影モードを有する撮像装置において、本体マイコン１３は、撮影モードが固定時間撮影モードか判断する。そして、本体マイコン１３は、固定時間撮影モードの場合に、撮影画像に対して行われるデジタル加工処理が、撮影画像の少なくとも一部のマスク処理を含み、かつ、時間変化のある禁止対象のデジタル加工処理であるか判断する。そして、本体マイコン１３は、禁止対象のデジタル加工処理であると判断した場合に、禁止対象のデジタル加工処理を禁止する。【選択図】図２
2010068098.tif 000002
【特許請求の範囲】
【請求項１】
撮影画像の記録開始から固定時間経過後に自動的に記録を終了する固定時間撮影モードを有する撮像装置において、
撮影モードが前記固定時間撮影モードか判断する第１の判断手段と、
前記第１の判断手段により前記固定時間撮影モードと判断された場合に、前記撮影画像に対して行われるデジタル加工処理が、前記撮影画像の少なくとも一部のマスク処理を含み、かつ、時間変化のある禁止対象のデジタル加工処理であるか判断する第２の判断手段と、
前記第２の判断手段により前記禁止対象のデジタル加工処理であると判断された場合に、前記禁止対象のデジタル加工処理を禁止する禁止手段と、
を備えることを特徴とする撮像装置。
【請求項２】
前記禁止対象のデジタル加工処理とは、オートフェード、ワイプのうち少なくともいずれか１つを含むことを特徴とする請求項１記載の撮像装置。
【請求項３】
前記禁止対象のデジタル加工処理である旨を表示する表示手段を備えることを特徴とする請求項１記載の撮像装置。
【請求項４】
撮影画像の記録開始から固定時間経過後に自動的に記録を終了する固定時間撮影モードを有する撮像装置において、
撮影モードが前記固定時間撮影モードか判断する第１の判断手段と、
前記第１の判断手段により前記固定時間撮影モードと判断された場合に、前記撮影画像に対して行われるデジタル加工処理が、前記撮影画像の少なくとも一部のマスク処理を含み、かつ、時間変化のある制限対象のデジタル加工処理であるか判断する第２の判断手段と、
前記第２の判断手段により前記制限対象のデジタル加工処理であると判断された場合に、前記固定時間撮影モードの撮影時間が第１の撮影時間以上か判断する第３の判断手段と、
前記第３の判断手段により前記第１の撮影時間以上と判断された場合に、前記第１の撮影時間未満の第１の実行時間で前記制限対象のデジタル加工処理を実行する第１の実行手段と、
前記第３の判断手段により前記第１の撮影時間未満と判断された場合に、前記固定時間撮影モードの撮影時間が第２の撮影時間以上か判断する第４の判断手段と、
前記第４の判断手段により前記第２の撮影時間以上と判断された場合に、前記第２の撮影時間未満の第２の実行時間で前記制限対象のデジタル加工処理を実行する第２の実行手段と、
を備えることを特徴とする撮像装置。
【請求項５】
前記制限対象のデジタル加工処理とは、オートフェード、ワイプのうち少なくともいずれか１つを含むことを特徴とする請求項４記載の撮像装置。
【請求項６】
前記制限対象のデジタル加工処理を有効にして前記撮影画像の記録を開始した際に、再度、デジタル加工処理を有効にしなくても記録の終了時のデジタル加工処理を行うことを特徴とする請求項４記載の撮像装置。
【請求項７】
撮影画像の記録開始から固定時間経過後に自動的に記録を終了する固定時間撮影モードを有する撮像装置において、
前記撮影画像に対してデジタル加工処理を行うための加工手段と、
前記加工手段を選択する選択手段と、
前記撮影画像に対して行われるデジタル加工処理が、前記撮影画像の少なくとも一部のマスク処理を含み、かつ、時間変化のある禁止対象のデジタル加工処理であるか判断する判断手段と、
前記判断手段により前記禁止対象のデジタル加工処理であると判断された場合に前記加工手段の選択を禁止し、前記判断手段により前記禁止対象のデジタル加工処理でないと判断された場合に、前記加工手段の選択を許可する制御手段と、
を備えることを特徴とする撮像装置。
【請求項８】
撮影画像の記録開始から固定時間経過後に自動的に記録を終了する固定時間撮影モードを有する撮像装置の制御方法において、
撮影モードが前記固定時間撮影モードか判断する第１の判断ステップと、
前記第１の判断ステップにより前記固定時間撮影モードと判断された場合に、前記撮影画像に対して行われるデジタル加工処理が、前記撮影画像の少なくとも一部のマスク処理を含み、かつ、時間変化のある禁止対象のデジタル加工処理であるか判断する第２の判断ステップと、
前記第２の判断ステップにより前記禁止対象のデジタル加工処理であると判断された場合に、前記禁止対象のデジタル加工処理を禁止する禁止ステップと、
を備えることを特徴とする撮像装置の制御方法。
【請求項９】
撮影画像の記録開始から固定時間経過後に自動的に記録を終了する固定時間撮影モードを有する撮像装置の制御方法をコンピュータに実行させるプログラムにおいて、
前記撮像装置の制御方法は、
撮影モードが前記固定時間撮影モードか判断する第１の判断ステップと、
前記第１の判断ステップにより前記固定時間撮影モードと判断された場合に、前記撮影画像に対して行われるデジタル加工処理が、前記撮影画像の少なくとも一部のマスク処理を含み、かつ、時間変化のある禁止対象のデジタル加工処理であるか判断する第２の判断ステップと、
前記第２の判断ステップにより前記禁止対象のデジタル加工処理であると判断された場合に、前記禁止対象のデジタル加工処理を禁止する禁止ステップと、
を備えることを特徴とするプログラム。
【発明の詳細な説明】
【技術分野】
【０００１】
本発明は、固定時間撮影モードを有する撮像装置に関し、特に、固定時間撮影モード中におけるデジタル加工処理が、撮影画像の少なくとも一部のマスク処理を含み、かつ、時間変化のある処理であるか否かを判断する技術に特徴のある撮像装置に関する。
【背景技術】
【０００２】
撮像装置において、初心者が動画を撮影（撮像）する際、冗長な映像を多く含みがちである。これを解決するために、記録開始から固定時間（ドラマや映画と言った専門家が撮影した映像のカット割に相当する時間）経過後に自動的に記録を終了する固定時間撮影モード（ビデオスナップとも言う）を備えた撮像装置がある。
【０００３】
しかしながら、この固定時間が、例えば、数秒程度の少ない時間の場合、撮影実行中にカメラパラメータが切り替わることにより、ユーザの意図しない映像が記録されてしまうという問題があった。
【０００４】
これに対して、従来の固定時間撮影モードを有する撮像装置には、以下の機能を有するものが提案されている。
【０００５】
即ち、固定時間撮影モード中はフルオート撮影となり、フェード・ワイプ・白黒・セピアなどの演出効果やシャッタースピードの切り替えといったマニュアル操作を禁止することにより、ユーザが意図しない映像の撮影を防止する機能を備えたものである。
【０００６】
また、一般的な特殊効果を表示させる例として、多様な特殊効果の中から選択された特殊効果をプレビューする映像記録装置が提案されている（例えば、特許文献１参照）。
【０００７】
また、再生された動画像信号の１つのシーンがフェード処理などの特殊効果処理に必要な時間に満たない場合でも、特殊効果処理を可能とする再生装置が提案されている（例えば、特許文献２参照）。
【特許文献１】特開２００５−３４７８８６号公報
【特許文献２】特開２００５−２０１９０号公報
【発明の開示】
【発明が解決しようとする課題】
【０００８】
フェードやワイプなどのような、撮影画像の少なくとも一部のマスク処理を含み、かつ、時間変化のあるデジタル加工処理を禁止することは、数秒程度の少ない固定時間での撮影実行中では実画像がほとんどなくなってしまうことを防ぐために有効である。
【０００９】
しかしながら、実画像そのものは変化せず、単に色が変わるだけの演出効果である白黒やセピアなどマスク処理のないデジタル加工処理まで禁止してしまうと、ユーザが意図的に演出効果を使って撮影ができなくなってしまうという問題がある。
【００１０】
本発明の目的は、ユーザが意図的にマスク処理のないデジタル加工処理を選択して演出効果を高めることができる撮像装置を提供することにある。
【課題を解決するための手段】
【００１１】
上記目的を達成するために、請求項１記載の撮像装置は、撮影画像の記録開始から固定時間経過後に自動的に記録を終了する固定時間撮影モードを有する撮像装置において、撮影モードが前記固定時間撮影モードか判断する第１の判断手段と、前記第１の判断手段により前記固定時間撮影モードと判断された場合に、前記撮影画像に対して行われるデジタル加工処理が、前記撮影画像の少なくとも一部のマスク処理を含み、かつ、時間変化のある禁止対象のデジタル加工処理であるか判断する第２の判断手段と、前記第２の判断手段により前記禁止対象のデジタル加工処理であると判断された場合に、前記禁止対象のデジタル加工処理を禁止する禁止手段とを備えることを特徴とする。
【００１２】
請求項４記載の撮像装置は、撮影画像の記録開始から固定時間経過後に自動的に記録を終了する固定時間撮影モードを有する撮像装置において、撮影モードが前記固定時間撮影モードか判断する第１の判断手段と、前記第１の判断手段により前記固定時間撮影モードと判断された場合に、前記撮影画像に対して行われるデジタル加工処理が、前記撮影画像の少なくとも一部のマスク処理を含み、かつ、時間変化のある制限対象のデジタル加工処理であるか判断する第２の判断手段と、前記第２の判断手段により前記制限対象のデジタル加工処理であると判断された場合に、前記固定時間撮影モードの撮影時間が第１の撮影時間以上か判断する第３の判断手段と、前記第３の判断手段により前記第１の撮影時間以上と判断された場合に、前記第１の撮影時間未満の第１の実行時間で前記制限対象のデジタル加工処理を実行する第１の実行手段と、前記第３の判断手段により前記第１の撮影時間未満と判断された場合に、前記固定時間撮影モードの撮影時間が第２の撮影時間以上か判断する第４の判断手段と、前記第４の判断手段により前記第２の撮影時間以上と判断された場合に、前記第２の撮影時間未満の第２の実行時間で前記制限対象のデジタル加工処理を実行する第２の実行手段とを備えることを特徴とする。
【００１３】
請求項７記載の撮像装置は、撮影画像の記録開始から固定時間経過後に自動的に記録を終了する固定時間撮影モードを有する撮像装置において、前記撮影画像に対してデジタル加工処理を行うための加工手段と、前記加工手段を選択する選択手段と、前記撮影画像に対して行われるデジタル加工処理が、前記撮影画像の少なくとも一部のマスク処理を含み、かつ、時間変化のある禁止対象のデジタル加工処理であるか判断する判断手段と、前記判断手段により前記禁止対象のデジタル加工処理であると判断された場合に前記加工手段の選択を禁止し、前記判断手段により前記禁止対象のデジタル加工処理でないと判断された場合に、前記加工手段の選択を許可する制御手段とを備えることを特徴とする。
【００１４】
請求項８記載の撮像装置の制御方法は、撮影画像の記録開始から固定時間経過後に自動的に記録を終了する固定時間撮影モードを有する撮像装置の制御方法において、撮影モードが前記固定時間撮影モードか判断する第１の判断ステップと、前記第１の判断ステップにより前記固定時間撮影モードと判断された場合に、前記撮影画像に対して行われるデジタル加工処理が、前記撮影画像の少なくとも一部のマスク処理を含み、かつ、時間変化のある禁止対象のデジタル加工処理であるか判断する第２の判断ステップと、前記第２の判断ステップにより前記禁止対象のデジタル加工処理であると判断された場合に、前記禁止対象のデジタル加工処理を禁止する禁止ステップとを備えることを特徴とする。
【００１５】
請求項９記載のプログラムは、撮影画像の記録開始から固定時間経過後に自動的に記録を終了する固定時間撮影モードを有する撮像装置の制御方法をコンピュータに実行させるプログラムにおいて、前記撮像装置の制御方法は、撮影モードが前記固定時間撮影モードか判断する第１の判断ステップと、前記第１の判断ステップにより前記固定時間撮影モードと判断された場合に、前記撮影画像に対して行われるデジタル加工処理が、前記撮影画像の少なくとも一部のマスク処理を含み、かつ、時間変化のある禁止対象のデジタル加工処理であるか判断する第２の判断ステップと、前記第２の判断ステップにより前記禁止対象のデジタル加工処理であると判断された場合に、前記禁止対象のデジタル加工処理を禁止する禁止ステップとを備えることを特徴とする。
【発明の効果】
【００１６】
本発明の撮像装置によれば、ユーザが意図的にマスク処理のないデジタル加工処理を選択して演出効果を高めることができる。
【発明を実施するための最良の形態】
【００１７】
以下、本発明を図面を参照しながら詳細に説明する。
【００１８】
図１は、本発明の実施の形態に係る撮像装置としてのデジタルビデオカメラのブロック構成図である。
【００１９】
図１において、デジタルビデオカメラ１０は、撮影画像の記録開始から固定時間経過後に自動的に記録を終了する固定時間撮影モードを有する。
【００２０】
そして、デジタルビデオカメラ１０は、被写体を撮影（撮像）する撮像部１１と、撮影した画像に対してデジタル加工処理を施すデジタル加工処理部１２と、本体マイコン１３と、本体マイコン１３に対して処理を命令するための入力部１４とを備える。
【００２１】
また、デジタルビデオカメラ１０は、現在処理している内容を表示するための表示処理部１６と、撮影した画像を保存しておくための記録媒体１７とを備える。表示処理部１６は、後述する禁止対象のデジタル加工処理である旨を表示する表示手段として機能する。
【００２２】
また、本体マイコン１３は、撮影画像の少なくとも一部のマスク処理を含み、かつ、時間変化のあるデジタル加工処理であるかどうかの判断を行う判断処理部１５を有する。
【００２３】
ここで、デジタル加工処理部１２は、撮影画像に対してデジタル加工処理を行うための加工手段として機能する。
【００２４】
また、本体マイコン１３は、加工手段を選択する選択手段として機能する。
【００２５】
また、判断処理部１５は、撮影画像に対して行われるデジタル加工処理が、撮影画像の少なくとも一部のマスク処理を含み、かつ、時間変化のある禁止対象のデジタル加工処理であるか判断する判断手段として機能する。
【００２６】
また、本体マイコン１３は、判断手段により禁止対象のデジタル加工処理であると判断された場合に加工手段の選択を禁止し、判断手段により禁止対象のデジタル加工処理でないと判断された場合に、加工手段の選択を許可する制御手段として機能する。
【００２７】
図２は、図１のデジタルビデオカメラによって実行されるデジタル加工（処理）制御処理の第１の実施の形態の手順を示すフローチャートである。
【００２８】
本フローチャートは、図１における本体マイコン１３の制御の下に実行される。
【００２９】
尚、ステップＳ２０２における禁止対象のデジタル加工処理とは、撮影画像の少なくとも一部のマスク処理を含み、かつ、時間変化のあるデジタル加工処理であるものとする。
【００３０】
最初のステップＳ２０１において、本体マイコン１３は、撮影モードが固定時間撮影モードかどうかの判断を行う。
【００３１】
ステップＳ２０１において、本体マイコン１３により、固定時間撮影モードであると判断された場合、次のステップＳ２０２において、本体マイコン１３は、現在選ばれているデジタル加工処理が禁止対象のデジタル加工処理であるかどうかの判断を行う。
【００３２】
ステップＳ２０１において、本体マイコン１３により、固定時間撮影モードではないと判断された場合、次のステップＳ２０４において、本体マイコン１３は、現在選ばれているデジタル加工処理の実行を許可する。
【００３３】
ステップＳ２０２において、本体マイコン１３により、禁止対象のデジタル加工処理であると判断された場合、次のステップＳ２０３において、本体マイコン１３は、現在選ばれているデジタル加工処理の実行を禁止する。
【００３４】
ステップＳ２０２において、本体マイコン１３により、禁止対象のデジタル加工処理ではないと判断された場合、ステップＳ２０４において、本体マイコン１３は、現在選ばれているデジタル加工処理の実行を許可する。
【００３５】
ここで、ステップＳ２０１は、撮影モードが固定時間撮影モードか判断する第１の判断手段として機能する。
【００３６】
また、ステップＳ２０２は、第２の判断手段として機能する。第２の判断手段は、第１の判断手段により固定時間撮影モードと判断された場合に、撮影画像に対して行われるデジタル加工処理が、撮影画像の少なくとも一部のマスク処理を含み、かつ、時間変化のある禁止対象のデジタル加工処理であるか判断する。
【００３７】
また、ステップＳ２０３は、第２の判断手段により禁止対象のデジタル加工処理であると判断された場合に、禁止対象のデジタル加工処理を禁止する禁止手段として機能する。
【００３８】
ここで、禁止対象のデジタル加工処理とは、オートフェード、ワイプのうち少なくともいずれか１つを含む。
【００３９】
以上の処理により、固定時間撮影モードにおいて、撮影画像の少なくとも一部のマスク処理を含み、かつ、時間変化のあるデジタル加工処理であった場合に、デジタル加工処理を禁止することが可能となる。これによって、ユーザが意図的にマスク処理のないデジタル加工処理を選択して演出効果を高めることが可能となる。
【００４０】
図３は、図１のデジタルビデオカメラによって実行されるデジタル加工（処理）制御処理の第２の実施の形態の手順を示すフローチャートである。
【００４１】
本フローチャートは、図１における本体マイコン１３の制御の下に実行される。
【００４２】
尚、ステップＳ３０２における制限対象のデジタル加工処理とは、撮影画像の少なくとも一部のマスク処理を含み、かつ、時間変化のあるデジタル加工処理であるものとする。また、本実施の形態では、第１の実行時間、第２の実行時間に加え、第３の実行時間も有するものとする。
【００４３】
最初のステップＳ３０１において、本体マイコン１３は、撮影モードが固定時間撮影モードかどうかの判断を行う。
【００４４】
ステップＳ３０１において、本体マイコン１３により、固定時間撮影モードであると判断された場合、次のステップＳ３０２において、本体マイコン１３は、現在選ばれているデジタル加工処理が制限対象のデジタル加工処理であるかどうかの判断を行う。
【００４５】
ステップＳ３０１において、本体マイコン１３により、固定時間撮影モードではないと判断された場合、次のステップＳ３０５において、本体マイコン１３は、現在選ばれているデジタル加工処理の実行を許可する。
【００４６】
ステップＳ３０２において、本体マイコン１３により、制限対象のデジタル加工処理であると判断された場合、次のステップＳ３０３において、本体マイコン１３は、固定時間撮影モードの記録時間が１６秒以上であるかどうかの判断を行う。
【００４７】
ステップＳ３０２において、本体マイコン１３により、制限対象のデジタル加工処理ではないと判断された場合、次のステップＳ３０５において、本体マイコン１３は、現在選ばれているデジタル加工処理の実行を許可する。
【００４８】
ステップＳ３０３において、本体マイコン１３により、固定時間撮影モードの記録時間が１６秒以上であると判断された場合、次のステップＳ３０６において、本体マイコン１３は、デジタル加工処理の実行時間を４秒に設定する。
【００４９】
ステップＳ３０３において、本体マイコン１３により、固定時間撮影モードの記録時間が１６秒未満であると判断された場合、次のステップＳ３０４において、本体マイコン１３は、固定時間撮影モードの記録時間が８秒以上であるかどうかの判断を行う。
【００５０】
ステップＳ３０４において、本体マイコン１３により、固定時間撮影モードの記録時間が８秒以上であると判断された場合、次のステップＳ３０７において、本体マイコン１３は、デジタル加工処理の実行時間を２秒に設定する。
【００５１】
ステップＳ３０４において、本体マイコン１３により、固定時間撮影モードの記録時間が８秒未満であると判断された場合、次のステップＳ３０８において、本体マイコン１３は、デジタル加工処理の実行時間を０秒に設定する。デジタル加工処理の実行時間を０秒に設定すると言うことは、デジタル加工処理を禁止すると言うことである。
【００５２】
ここで、ステップＳ３０１は、撮影モードが固定時間撮影モードか判断する第１の判断手段として機能する。
【００５３】
また、ステップＳ３０２は、第２の判断手段として機能する。第２の判断手段は、第１の判断手段により固定時間撮影モードと判断された場合に、撮影画像に対して行われるデジタル加工処理が、撮影画像の少なくとも一部のマスク処理を含み、かつ、時間変化のある制限対象のデジタル加工処理であるか判断する。
【００５４】
また、ステップＳ３０３は、第２の判断手段により制限対象のデジタル加工処理であると判断された場合に、固定時間撮影モードの撮影時間が第１の撮影時間以上か判断する第３の判断手段として機能する。
【００５５】
また、ステップＳ３０６は、第３の判断手段により第１の撮影時間以上と判断された場合に、第１の撮影時間未満の第１の実行時間で制限対象のデジタル加工処理を実行する第１の実行手段として機能する。
【００５６】
また、ステップＳ３０４は、第３の判断手段により第１の撮影時間未満と判断された場合に、固定時間撮影モードの撮影時間が第２の撮影時間以上か判断する第４の判断手段として機能する。
【００５７】
また、ステップＳ３０７は、第４の判断手段により第２の撮影時間以上と判断された場合に、第２の撮影時間未満の第２の実行時間で制限対象のデジタル加工処理を実行する第２の実行手段として機能する。
【００５８】
ここで、制限対象のデジタル加工処理とは、オートフェード、ワイプのうち少なくともいずれか１つを含む。
【００５９】
以上の処理により、固定時間撮影モードにおいて、撮影画像の少なくとも一部のマスク処理を含み、かつ、時間変化のあるデジタル加工処理であった場合に、デジタル加工処理の時間を短縮し、あるいは、デジタル加工処理を禁止することが可能となる。これによって、ユーザが意図的にマスク処理のないデジタル加工処理を選択して演出効果を高めることが可能となる。
【００６０】
図４は、図１のデジタルビデオカメラによって実行されるデジタル加工（処理）制御処理の第３の実施の形態の手順を示すフローチャートである。
【００６１】
本フローチャートは、図１における本体マイコン１３の制御の下に実行される。
【００６２】
尚、本フローチャートでは、オードフェードが選択された際の動作を示すものとする。本フローチャートでは、制限対象のデジタル加工処理を有効にして撮影画像の記録を開始した際に、再度記録を有効にしなくても記録の終了時の処理を行うものである。
【００６３】
最初のステップＳ４０１において、ユーザの入力部１４からの指示により、本体マイコン１３は、メニュー画面からオートフェードを選択する。
【００６４】
ステップＳ４０２において、ユーザの入力部１４からの指示により、本体マイコン１３は、デジタル加工処理ＯＮの状態にする。
【００６５】
ステップＳ４０３において、図３のフローチャートを基に、本体マイコン１３は、デジタル加工処理の実行時間Ｔを設定する。
【００６６】
ステップＳ４０４において、ユーザの入力部１４からの記録開始操作により、本体マイコン１３は、固定時間撮影を開始する。
【００６７】
ステップＳ４０５において、本体マイコン１３は、フェードイン処理を実行する。
【００６８】
ステップＳ４０３で設定された実行時間が経過した後、ステップＳ４０６において、本体マイコン１３は、フェードイン処理を終了するとともに、デジタル加工ＯＦＦの状態にする。
【００６９】
ステップＳ４０７において、本体マイコン１３は、内部的にデジタル加工ＯＮの状態にする。
【００７０】
ステップＳ４０８において、本体マイコン１３は、固定撮影時間の残り撮影時間がステップＳ４０３で設定された実行時間となったタイミングで、フェードアウト処理を実行する。
【００７１】
ステップＳ４０３で設定された実行時間が経過した後、ステップＳ４０９において、本体マイコン１３は、フェードアウト処理を終了するとともに、デジタル加工ＯＦＦの状態にし、固定時間撮影を終了する。
【００７２】
以上の処理により、固定時間撮影モードにおいて、撮影画像の少なくとも一部のマスク処理を含み、かつ、時間変化のあるデジタル加工処理であった場合に、デジタル加工処理を禁止することが可能となる。これによって、ユーザが意図的にマスク処理のないデジタル加工処理を選択して演出効果を高めることが可能となる。
【００７３】
図５は、図３、図４のフローチャートにおけるタイムチャートである。尚、本実施の形態ではワイプが選択された際の動作を示すものとする。
【００７４】
図５（ａ）は、固定撮影時間が１６秒であった場合のタイムチャートである。
【００７５】
記録開始直後からワイプイン動作が開始する。ワイプイン動作は４秒で終了する速さで実行されるため、記録開始４秒後に撮影画像が全て表示される。
【００７６】
記録開始１２秒後（１６秒−４秒）からワイプアウト動作が開始する。ワイプアウト動作終了と同時に固定時間撮影が終了する。
【００７７】
図５（ｂ）は、固定撮影時間が８秒であった場合のタイムチャートである。
【００７８】
記録開始直後からワイプイン動作が開始する。ワイプイン動作は２秒で終了する速さで実行されるため、記録開始２秒後に撮影画像が全て表示される。
【００７９】
記録開始６秒後（８秒−２秒）からワイプアウト動作が開始する。ワイプアウト動作終了と同時に固定時間撮影が終了する。
【００８０】
図５（ｃ）は、固定撮影時間が４秒であった場合のタイムチャートである。
【００８１】
固定撮影時間が８秒未満の場合はワイプ動作は実行されないため、記録開始から記録終了まで撮影画像が全て表示される。
【００８２】
以上の処理により、固定時間撮影モードにおいて、撮影画像の少なくとも一部のマスク処理を含み、かつ、時間変化のあるデジタル加工処理であった場合に、デジタル加工処理を禁止することが可能となる。これによって、ユーザが意図的にマスク処理のないデジタル加工処理を選択して演出効果を高めることが可能となる。
【００８３】
図６は、図１における表示処理部の表示例を示す図である。
【００８４】
図６（ａ）は、通常記録モード時のデジタル加工処理選択画面である。
【００８５】
通常記録モードでは全てのデジタル加工処理が有効となっている。
【００８６】
図６（ｂ）は、固定時間撮影モード（ビデオスナップ）時のデジタル加工処理選択画面である。
【００８７】
固定時間撮影モードでは、撮影画像の少なくとも一部のマスク処理を含み、かつ、時間変化のあるデジタル加工処理であるオートフェードとワイプをグレーアウトし、選択不可能としている。
【００８８】
ここで、全て選択可能にしておき、撮影画像の少なくとも一部のマスク処理を含み、かつ、時間変化のあるデジタル加工処理であるオートフェードとワイプを選択した際に警告を表示するという手法を用いてもよい。
【００８９】
また、メニューからは選択可能としておき、実際にデジタル加工処理を有効にする処理をグレーアウトする、または警告表示するという手法を用いてもよい。
【００９０】
第２の実施の形態の場合は、固定時間撮影モードでも全てのデジタル加工処理が選択可能となる。しかし、撮影画像の少なくとも一部のマスク処理を含み、かつ、時間変化のあるデジタル加工処理であるオートフェードとワイプを選択した際に、固定撮影時間とデジタル加工処理実行時間を表示することで、よりユーザに親切なＵＩとなることは言うまでもない。
【００９１】
また、本発明の目的は、以下の処理を実行することによっても達成される。即ち、上述した実施の形態の機能を実現するソフトウェアのプログラムコードを記録した記憶媒体を、システムまたは装置に供給し、そのシステムまたは装置のコンピュータ（またはＣＰＵやＭＰＵ等）が記憶媒体に格納されたプログラムコードを読み出す処理である。
【００９２】
この場合、記憶媒体から読み出されたプログラムコード自体が前述した実施の形態の機能を実現することになり、そのプログラムコード及び該プログラムコードを記憶した記憶媒体は本発明を構成することになる。
【００９３】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００９４】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００９５】
更に、上述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００９６】
【図１】本発明の実施の形態に係る撮像装置としてのデジタルビデオカメラのブロック構成図である。
【図２】図１のデジタルビデオカメラによって実行されるデジタル加工（処理）制御処理の第１の実施の形態の手順を示すフローチャートである。
【図３】図１のデジタルビデオカメラによって実行されるデジタル加工（処理）制御処理の第２の実施の形態の手順を示すフローチャートである。
【図４】図１のデジタルビデオカメラによって実行されるデジタル加工（処理）制御処理の第３の実施の形態の手順を示すフローチャートである。
【図５】図３、図４のフローチャートにおけるタイムチャートである。
【図６】図１における表示処理部の表示例を示す図である。
【符号の説明】
【００９７】
１０  デジタルビデオカメラ
１１  撮像部
１２  デジタル加工処理部
１３  本体マイコン
１４  入力部
１５  判断処理部
１６  表示処理部
１７  記録媒体
【図１】
2010068098.tif 000003
【図２】
2010068098.tif 000004
【図３】
2010068098.tif 000005
【図４】
2010068098.tif 000006
【図５】
2010068098.tif 000007
【図６】
2010068098.tif 000008